(57)【要約】【課題】ユーザがユーザＩＤやパスワードの入力を行わなくてもユーザの認証を行うことができるようにする。【解決手段】サービス提供サーバ３００は、ユーザ端末２００にサービス提供用画面データを送信する。情報読取装置１００は、ユーザが所有しているユーザカード２０に取り付けられたカードＩＣタグ２２からユーザ識別情報を読み取り、ユーザ端末２００を介してサービス提供サーバ３００にユーザ識別情報を送信する。このとき情報読取装置１００は、情報読取装置１００を相互に識別する装置識別情報も、ユーザ端末２００を介してサービス提供サーバ３００に送信する。そしてサービス提供サーバ３００は、ユーザ識別情報と装置識別情報の組み合わせに基づいて認証処理を行う。【選択図】図１
2010198333.tif 000002
【特許請求の範囲】
【請求項１】
ユーザ端末にサービス提供用画面データを送信するサービス提供サーバと、
前記ユーザ端末を介して前記サービス提供サーバにユーザ識別情報を送信する情報読取装置と、
を備え、
前記情報読取装置は、
ユーザが所有しているユーザカードに取り付けられたカードＩＣタグから、前記ユーザの前記ユーザ識別情報を読み取るＩＣタグ読取手段と、
前記情報読取装置を相互に識別する装置識別情報を記憶する装置識別情報記憶手段と、
前記ＩＣタグ読取手段が読み取った前記ユーザ識別情報と前記装置識別情報記憶手段が記憶している前記装置識別情報とを互いに対応付けて、前記ユーザ端末を介して前記サービス提供サーバに送信する識別情報送信手段と、
を備え、
前記サービス提供サーバは、
前記ユーザ識別情報と前記装置識別情報とを互いに対応付けて記憶する認証情報記憶手段と、
前記識別情報送信手段が送信した前記ユーザ識別情報と前記装置識別情報の組み合わせが、前記認証情報記憶手段が記憶している前記ユーザ識別情報と前記装置識別情報の組み合わせに一致するか否かを判断することにより、前記ユーザの認証処理を行う認証処理手段と、
前記認証処理手段が前記ユーザを認証したときに、前記サービス提供用画面データを前記ユーザ端末に送信する画面データ送信手段と、
を備えるサービス提供システム。
【請求項２】
請求項１に記載のサービス提供システムにおいて、
前記カードＩＣタグはＲＦＩＤ（Radio Frequency Identification）であるサービス提供システム。
【請求項３】
請求項１又は２に記載のサービス提供システムにおいて、
前記サービス提供サーバは、
前記ユーザに関する情報であるユーザ情報を前記ユーザ識別情報に対応付けて記憶するユーザ情報記憶手段と、
前記認証処理手段が前記ユーザを認証したときに、前記ユーザ情報記憶手段から、前記ユーザ識別情報に対応する前記ユーザ情報を読み出し、読み出した前記ユーザ情報を用いて前記サービス提供用画面データを生成する画面データ生成手段と、
をさらに備え、
前記サービス提供サーバの前記画面データ送信手段は、前記画面データ生成手段が生成した前記サービス提供用画面データを前記ユーザ端末に送信するサービス提供システム。
【請求項４】
請求項３に記載のサービス提供システムにおいて、
前記サービス提供用画面データは、商品購入画面を表示させるための画面データであり、
前記ユーザ情報は、前記ユーザが過去に購入した商品の商品識別情報を含んでおり、
前記画面データ生成手段は、前記商品購入画面の商品入力欄に、前記ユーザ情報に含まれている前記商品識別情報が予め入力されている状態の前記サービス提供用画面データを生成するサービス提供システム。
【請求項５】
請求項１又は２に記載のサービス提供システムにおいて、
前記サービス提供用画面データは、銀行のＡＴＭ（Automated Teller Machine）の画面を前記ユーザ端末に表示させるための画面データであるサービス提供システム。
【請求項６】
請求項１〜５のいずれか一つに記載のサービス提供システムにおいて、
前記情報読取装置は、前記サービス提供サーバに接続するための接続情報を記憶する接続情報記憶手段をさらに備え、
前記情報読取装置の前記識別情報送信手段は、前記ＩＣタグ読取手段が前記ユーザ識別情報を読み取ったときに、前記接続情報記憶手段から前記接続情報を読み出して前記ユーザ端末に送信し、前記ユーザ端末を前記サービス提供サーバに接続させるサービス提供システム。
【請求項７】
請求項１〜５のいずれか一つに記載のサービス提供システムにおいて、
前記カードＩＣタグは、前記サービス提供サーバに接続するための接続情報をさらに記憶しており、
前記情報読取装置の前記ＩＣタグ読取手段は、前記カードＩＣタグから前記ユーザ識別情報を読み取るときに、前記接続情報を読み取り、
前記識別情報送信手段は、前記接続情報を前記ユーザ端末に送信して前記サービス提供サーバに接続させるサービス提供システム。
【請求項８】
ユーザ端末を介してサービス提供サーバにユーザ識別情報を送信する情報読取装置であって、
ユーザが所有しているユーザカードに取り付けられたカードＩＣタグから、前記ユーザの前記ユーザ識別情報を読み取るＩＣタグ読取手段と、
前記情報読取装置を相互に識別する装置識別情報を記憶する装置識別情報記憶手段と、
前記ＩＣタグ読取手段が読み取った前記ユーザ識別情報と前記装置識別情報記憶手段が記憶している前記装置識別情報とを互いに対応付けて、前記ユーザ端末を介して前記サービス提供サーバに送信する識別情報送信手段と、
を備える情報読取装置。
【請求項９】
ユーザ端末を介してサービス提供サーバにユーザ識別情報を送信する情報読取装置であって、
ユーザが所有しているユーザカードに取り付けられたカードＩＣタグから、前記ユーザの前記ユーザ識別情報を読み取るＩＣタグ読取手段と、
前記サービス提供サーバに接続するための接続情報を記憶する接続情報記憶手段と、
前記ＩＣタグ読取手段が前記ユーザ識別情報を読み取ったときに、前記接続情報記憶手段から前記接続情報を読み出して前記ユーザ端末に送信し、前記ユーザ端末を前記サービス提供サーバに接続させるとともに、前記ＩＣタグ読取手段が読み取った前記ユーザ識別情報を、前記ユーザ端末を介して前記サービス提供サーバに送信する識別情報送信手段と、
を備える情報読取装置。
【請求項１０】
ユーザ端末を介してサービス提供サーバにユーザ識別情報を送信する情報読取装置であって、
ユーザが所有しているユーザカードに取り付けられたカードＩＣタグから、前記サービス提供サーバに接続するための接続情報を読み取るＩＣタグ読取手段と、
前記ＩＣタグ読取手段が前記接続情報を読み取ったときに、前記接続情報を前記ユーザ端末に送信し、前記ユーザ端末を前記サービス提供サーバに接続させる接続指令送信手段と、
を備える情報読取装置。
【請求項１１】
ユーザ端末にサービス提供用画面データを送信するサービス提供サーバと、
前記ユーザ端末を介して前記サービス提供サーバにユーザ識別情報を送信する情報読取装置と、を用いたサービス提供方法であって、
前記情報読取装置が、予め、前記情報読取装置を相互に識別する装置識別情報を記憶しておき、
前記情報読取装置が、ユーザが所有しているユーザカードに取り付けられたカードＩＣタグから、前記ユーザの前記ユーザ識別情報を読み取り、前記ユーザ識別情報及び前記装置識別情報を相互に前記サービス提供サーバに送信し、
前記サービス提供サーバが、予め、前記ユーザ識別情報と前記装置識別情報とを互いに対応付けて記憶しておき、
前記サービス提供サーバが、前記情報読取装置から送信された前記ユーザ識別情報と前記装置識別情報の組み合わせが、予め記憶している前記ユーザ識別情報と前記装置識別情報の組み合わせに一致するか否かを判断することにより、前記ユーザの認証処理を行い、
前記サービス提供サーバが、前記ユーザを認証したときに、前記サービス提供用画面データを前記ユーザ端末に送信するサービス提供方法。
【請求項１２】
情報読取装置が、ユーザ端末を介してサービス提供サーバにユーザ識別情報を送信するユーザ情報送信方法であって、
前記情報読取装置が、予め、前記情報読取装置を相互に識別する装置識別情報を記憶しておき、
前記情報読取装置が、ユーザが所有しているユーザカードに取り付けられたカードＩＣタグから、前記ユーザの前記ユーザ識別情報を読み取り、
前記情報読取装置が、前記ユーザ端末を介して、前記ユーザ識別情報及び前記装置識別情報を互いに対応付けて前記サービス提供サーバに送信する、ユーザ情報送信方法。
【請求項１３】
情報読取装置が、ユーザ端末を介してサービス提供サーバにユーザ識別情報を送信するユーザ情報送信方法であって、
前記情報読取装置が、
予め、前記サービス提供サーバに接続するための接続情報を記憶しておき、
ユーザが所有しているユーザカードに取り付けられたカードＩＣタグから、前記ユーザの前記ユーザ識別情報を読み取り、
前記ユーザ識別情報を読み取ったときに、予め記憶している前記接続情報を読み出して前記ユーザ端末に送信し、前記ユーザ端末を前記サービス提供サーバに接続させ、前記ユーザ端末に前記ユーザ識別情報を送信させるユーザ情報送信方法。
【請求項１４】
サービス提供サーバにユーザ識別情報を送信するユーザ情報送信方法であって、
情報読取装置が、
ユーザが所有しているユーザカードに取り付けられたカードＩＣタグから、前記サービス提供サーバに接続するための接続情報を読み取り、
前記接続情報を読み取ったときに、前記接続情報をユーザ端末に送信し、前記ユーザ端末を前記サービス提供サーバに接続させ、前記ユーザ端末に前記ユーザ識別情報を送信させるユーザ情報送信方法。
【請求項１５】
コンピュータを、サービス提供サーバにユーザ識別情報を送信する装置として機能させるためのプログラムであって、
前記コンピュータに、
前記情報読取装置を相互に識別する装置識別情報を予め記憶する機能と、
ユーザが所有しているユーザカードに取り付けられたカードＩＣタグから前記ユーザの前記ユーザ識別情報を読み取ったときに、前記ユーザ識別情報を前記装置識別情報に対応付けて前記サービス提供サーバに送信する機能と、
を実現させるプログラム。
【請求項１６】
コンピュータを、サービス提供サーバにユーザ識別情報を送信する装置として機能させるためのプログラムであって、
前記コンピュータに、
前記サービス提供サーバに接続するための接続情報を予め記憶する機能と、
ユーザが所有しているユーザカードに取り付けられたカードＩＣタグから前記ユーザの前記ユーザ識別情報を読み取ったときに、予め記憶している前記接続情報を読み出して前記ユーザ端末に送信し、前記ユーザ端末を前記サービス提供サーバに接続させ、かつ前記ユーザ端末に前記ユーザ識別情報を送信させる機能と、
を実現させるプログラム。
【請求項１７】
コンピュータを、サービス提供サーバにユーザ識別情報を送信する装置として機能させるためのプログラムであって、
前記コンピュータに、
ユーザが所有しているユーザカードに取り付けられたカードＩＣタグから、前記サービス提供サーバに接続するための接続情報を読み取ったときに、前記接続情報をユーザ端末に送信して前記ユーザ端末を前記サービス提供サーバに接続させ、前記ユーザ端末に前記ユーザ識別情報を送信させる機能を実現させるプログラム。
【発明の詳細な説明】
【技術分野】
【０００１】
本発明は、ユーザ端末にサービス提供用画面データを提供するサービス提供システム、情報読取装置、サービス提供方法、ユーザ情報送信方法、及びプログラムに関する。
【背景技術】
【０００２】
情報通信技術の発展に伴って、インターネットを介して商品を購入する機会が増えている。インターネット上の仮想商店で商品を購入するためには、まずインターネット端末に仮想商店のアドレスを入力してトップ画面を表示させ、その後、ユーザＩＤやパスワードを入力する必要がある（例えば特許文献１参照）。
【０００３】
また特許文献２には、情報処理機器に固有のシステム情報を予めクライアントから取得しておき、このシステム情報を認証情報の一つとして用いることが開示されている。なおこの技術においても、ユーザＩＤとパスワードの入力を要求している。
【先行技術文献】
【特許文献】
【０００４】
【特許文献１】特開２００９−２０９０４号公報
【特許文献２】特開２００３−１３２２７８号公報
【発明の概要】
【発明が解決しようとする課題】
【０００５】
年配者などの情報通信端末の操作に慣れていない人にとって、 ユーザＩＤやパスワードを入力することは難易度が高い行為である。ユーザがユーザＩＤやパスワードの入力を行う必要がなくなれば、インターネットを用いて商品を購入する人が増加すると考えられる。
【０００６】
本発明は上記事情に鑑みてなされたものであり、その目的とするところは、ユーザがユーザＩＤやパスワードの入力を行わなくてもユーザの認証を行うことができるサービス提供システム、情報読取装置、サービス提供方法、ユーザ情報送信方法、及びプログラムを提供することにある。
【課題を解決するための手段】
【０００７】
本発明によれば、ユーザ端末にサービス提供用画面データを送信するサービス提供サーバと、
前記ユーザ端末を介して前記サービス提供サーバにユーザ識別情報を送信する情報読取装置と、
を備え、
前記情報読取装置は、
ユーザが所有しているユーザカードに取り付けられたカードＩＣタグから、前記ユーザの前記ユーザ識別情報を読み取るＩＣタグ読取手段と、
前記情報読取装置を相互に識別する装置識別情報を記憶する装置識別情報記憶手段と、
前記ＩＣタグ読取手段が読み取った前記ユーザ識別情報と前記装置識別情報記憶手段が記憶している前記装置識別情報とを互いに対応付けて、前記ユーザ端末を介して前記サービス提供サーバに送信する識別情報送信手段と、
を備え、
前記サービス提供サーバは、
前記ユーザ識別情報と前記装置識別情報とを互いに対応付けて記憶する認証情報記憶手段と、
前記識別情報送信手段が送信した前記ユーザ識別情報と前記装置識別情報の組み合わせが、前記認証情報記憶手段が記憶している前記ユーザ識別情報と前記装置識別情報の組み合わせに一致するか否かを判断することにより、前記ユーザの認証処理を行う認証処理手段と、
前記認証処理手段が前記ユーザを認証したときに、前記サービス提供用画面データを前記ユーザ端末に送信する画面データ送信手段と、
を備えるサービス提供システムが提供される。
【０００８】
本発明によれば、ユーザ端末を介してサービス提供サーバにユーザ識別情報を送信する情報読取装置であって、
ユーザが所有しているユーザカードに取り付けられたカードＩＣタグから、前記ユーザの前記ユーザ識別情報を読み取るＩＣタグ読取手段と、
前記情報読取装置を相互に識別する装置識別情報を記憶する装置識別情報記憶手段と、
前記ＩＣタグ読取手段が読み取った前記ユーザ識別情報と前記装置識別情報記憶手段が記憶している前記装置識別情報とを互いに対応付けて、前記ユーザ端末を介して前記サービス提供サーバに送信する識別情報送信手段と、を備える情報読取装置が提供される。
【０００９】
本発明によれば、ユーザ端末を介してサービス提供サーバにユーザ識別情報を送信する情報読取装置であって、
ユーザが所有しているユーザカードに取り付けられたカードＩＣタグから、前記ユーザの前記ユーザ識別情報を読み取るＩＣタグ読取手段と、
前記サービス提供サーバに接続するための接続情報を記憶する接続情報記憶手段と、
前記ＩＣタグ読取手段が前記ユーザ識別情報を読み取ったときに、前記接続情報記憶手段から前記接続情報を読み出して前記ユーザ端末に送信し、前記ユーザ端末を前記サービス提供サーバに接続させるとともに、前記ＩＣタグ読取手段が読み取った前記ユーザ識別情報を、前記ユーザ端末を介して前記サービス提供サーバに送信する識別情報送信手段と、を備える情報読取装置が提供される。
【００１０】
本発明によれば、ユーザ端末を介してサービス提供サーバにユーザ識別情報を送信する情報読取装置であって、
ユーザが所有しているユーザカードに取り付けられたカードＩＣタグから、前記サービス提供サーバに接続するための接続情報を読み取るＩＣタグ読取手段と、
前記ＩＣタグ読取手段が前記接続情報を読み取ったときに、前記接続情報を前記ユーザ端末に送信し、前記ユーザ端末を前記サービス提供サーバに接続させる接続指令送信手段と、を備える情報読取装置が提供される。
【００１１】
本発明によれば、ユーザ端末にサービス提供用画面データを送信するサービス提供サーバと、
前記ユーザ端末を介して前記サービス提供サーバにユーザ識別情報を送信する情報読取装置と、を用いたサービス提供方法であって、
前記情報読取装置が、予め、前記情報読取装置を相互に識別する装置識別情報を記憶しておき、
前記情報読取装置が、ユーザが所有しているユーザカードに取り付けられたカードＩＣタグから、前記ユーザの前記ユーザ識別情報を読み取り、前記ユーザ識別情報及び前記装置識別情報を相互に前記サービス提供サーバに送信し、
前記サービス提供サーバが、予め、前記ユーザ識別情報と前記装置識別情報とを互いに対応付けて記憶しておき、
前記サービス提供サーバが、前記情報読取装置から送信された前記ユーザ識別情報と前記装置識別情報の組み合わせが、予め記憶している前記ユーザ識別情報と前記装置識別情報の組み合わせに一致するか否かを判断することにより、前記ユーザの認証処理を行い、
前記サービス提供サーバが、前記ユーザを認証したときに、前記サービス提供用画面データを前記ユーザ端末に送信するサービス提供方法が提供される。
【００１２】
本発明によれば、情報読取装置が、ユーザ端末を介してサービス提供サーバにユーザ識別情報を送信するユーザ情報送信方法であって、
前記情報読取装置が、予め、前記情報読取装置を相互に識別する装置識別情報を記憶しておき、
前記情報読取装置が、ユーザが所有しているユーザカードに取り付けられたカードＩＣタグから、前記ユーザの前記ユーザ識別情報を読み取り、
前記情報読取装置が、前記ユーザ端末を介して、前記ユーザ識別情報及び前記装置識別情報を互いに対応付けて前記サービス提供サーバに送信する、ユーザ情報送信方法が提供される。
【００１３】
本発明によれば、情報読取装置が、ユーザ端末を介してサービス提供サーバにユーザ識別情報を送信するユーザ情報送信方法であって、
前記情報読取装置が、
予め、前記サービス提供サーバに接続するための接続情報を記憶しておき、
ユーザが所有しているユーザカードに取り付けられたカードＩＣタグから、前記ユーザの前記ユーザ識別情報を読み取り、
前記ユーザ識別情報を読み取ったときに、予め記憶している前記接続情報を読み出して前記ユーザ端末に送信し、前記ユーザ端末を前記サービス提供サーバに接続させ、前記ユーザ端末に前記ユーザ識別情報を送信させるユーザ情報送信方法が提供される。
【００１４】
本発明によれば、サービス提供サーバにユーザ識別情報を送信するユーザ情報送信方法であって、
情報読取装置が、
ユーザが所有しているユーザカードに取り付けられたカードＩＣタグから、前記サービス提供サーバに接続するための接続情報を読み取り、
前記接続情報を読み取ったときに、前記接続情報をユーザ端末に送信し、前記ユーザ端末を前記サービス提供サーバに接続させ、前記ユーザ端末に前記ユーザ識別情報を送信させるユーザ情報送信方法が提供される。
【００１５】
本発明によれば、コンピュータを、サービス提供サーバにユーザ識別情報を送信する装置として機能させるためのプログラムであって、
前記コンピュータに、
前記情報読取装置を相互に識別する装置識別情報を予め記憶する機能と、
ユーザが所有しているユーザカードに取り付けられたカードＩＣタグから前記ユーザの前記ユーザ識別情報を読み取ったときに、前記ユーザ識別情報を前記装置識別情報に対応付けて前記サービス提供サーバに送信する機能と、
を実現させるプログラムが提供される。
【００１６】
本発明によれば、コンピュータを、サービス提供サーバにユーザ識別情報を送信する装置として機能させるためのプログラムであって、
前記コンピュータに、
前記サービス提供サーバに接続するための接続情報を予め記憶する機能と、
ユーザが所有しているユーザカードに取り付けられたカードＩＣタグから前記ユーザの前記ユーザ識別情報を読み取ったときに、予め記憶している前記接続情報を読み出して前記ユーザ端末に送信し、前記ユーザ端末を前記サービス提供サーバに接続させ、かつ前記ユーザ端末に前記ユーザ識別情報を送信させる機能と、
を実現させるプログラムが提供される。
【００１７】
本発明によれば、コンピュータを、サービス提供サーバにユーザ識別情報を送信する装置として機能させるためのプログラムであって、
前記コンピュータに、
ユーザが所有しているユーザカードに取り付けられたカードＩＣタグから、前記サービス提供サーバに接続するための接続情報を読み取ったときに、前記接続情報をユーザ端末に送信して前記ユーザ端末を前記サービス提供サーバに接続させ、前記ユーザ端末に前記ユーザ識別情報を送信させる機能を実現させるプログラムが提供される。
【発明の効果】
【００１８】
本発明によれば、ユーザがユーザＩＤやパスワードの入力を行わなくてもユーザの認証を行うことができる。
【図面の簡単な説明】
【００１９】
【図１】第１の実施形態に係るサービス提供システムの構成を示す図である。
【図２】情報読取装置の機能構成を示すブロック図である。
【図３】ユーザ端末の機能構成を示すブロック図である。
【図４】サービス提供サーバの機能構成を示すブロック図である。
【図５】認証情報記憶部が記憶しているデータをテーブル形式で示す図である。
【図６】ユーザ情報記憶部が記憶しているデータの一例をテーブル形式で示す図である。
【図７】図１に示したサービス提供システムの動作の一例を示すフローチャートである。
【図８】図７のステップＳ１３０においてユーザ端末の表示部が表示するサービス提供画面の一例を示す図である。
【図９】第２の実施形態に係るサービス提供システムの動作を説明するフローチャートである。
【図１０】第３の実施形態に係るサービス提供システムの動作を説明するフローチャートである。
【図１１】図１０のステップＳ１３０においてユーザ端末の表示部が表示するサービス提供画面の一例を示す図である。
【図１２】第４の実施形態に係るサービス提供システムの動作を説明するフローチャートである。
【図１３】図１の変形例を示す図である。
【発明を実施するための最良の形態】
【００２０】
以下、本発明の実施の形態について、図面を用いて説明する。尚、すべての図面において、同様な構成要素には同様の符号を付し、適宜説明を省略する。
【００２１】
図１は、第１の実施形態に係るサービス提供システムの構成を示す図である。このサービス提供システムは、サービス提供サーバ３００及び情報読取装置１００を備える。情報読取装置１００は、使用時にはユーザ端末２００に接続される。ユーザ端末２００は、インターネット等の通信網５０を介してサービス提供サーバ３００に接続している。
【００２２】
サービス提供サーバ３００は、ユーザ端末２００にサービス提供用画面データを送信する。情報読取装置１００は、ユーザが所有しているユーザカード２０に取り付けられたカードＩＣタグ２２からユーザ識別情報を読み取り、ユーザ端末２００を介してサービス提供サーバ３００にユーザ識別情報を送信する。このとき情報読取装置１００は、情報読取装置１００を相互に識別する装置識別情報も、ユーザ端末２００を介してサービス提供サーバ３００に送信する。そしてサービス提供サーバ３００は、ユーザ識別情報と装置識別情報の組み合わせに基づいて認証処理を行う。従って、ユーザがユーザＩＤやパスワードの入力を行わなくてもユーザの認証を行うことができる。
【００２３】
カードＩＣタグ２２は、例えばＲＦＩＤであり、情報読取装置１００は、例えばＲＦＩＤのリーダ／ライタである。情報読取装置１００は、例えばユーザカード２０と同時にユーザに渡される。
【００２４】
図２は、情報読取装置１００の機能構成を示すブロック図である。情報読取装置１００は、ＩＣタグ読取部１１０、装置識別情報記憶部１２０、及び識別情報送信部１４０を備える。ＩＣタグ読取部１１０は、カードＩＣタグ２２からユーザ識別情報を読み取る。装置識別情報記憶部１２０は、その情報読取装置１００の装置識別情報を記憶している。識別情報送信部１４０は、ＩＣタグ読取部１１０が読み取ったユーザ識別情報と装置識別情報記憶部１２０が記憶している装置識別情報とを互いに対応付けて、図１に示したユーザ端末２００を介してサービス提供サーバ３００に送信する。
【００２５】
情報読取装置１００は、さらに接続情報記憶部１３０を備える。接続情報記憶部１３０は、サービス提供サーバ３００に接続するための接続情報を記憶する。接続情報は、例えばサービス提供サーバ３００のＵＲＬ（Uniform Resource Locator）である。そして識別情報送信部１４０は、ＩＣタグ読取部１１０がユーザ識別情報を読み取ったときに、接続情報記憶部１３０から接続情報を読み出してユーザ端末２００に送信し、ユーザ端末２００をサービス提供サーバ３００に接続させる。すなわち識別情報送信部１４０は、接続指令送信部としても機能する。
【００２６】
なお、図２において、本発明の本質に関わらない部分の構成については省略している。図２に示した情報読取装置１００の各構成要素は、ハードウエア単位の構成ではなく、機能単位のブロックを示している。情報読取装置１００の装置識別情報記憶部１２０、接続情報記憶部１３０、及び識別情報送信部１４０は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００２７】
図３は、ユーザ端末２００の機能構成を示すブロック図である。ユーザ端末２００は、識別情報受信部２１０、接続情報設定部２２０、通信処理部２３０、表示部２４０、及び入力部２５０を備える。
【００２８】
識別情報受信部２１０は、情報読取装置１００からユーザ識別情報、装置識別情報、及び接続情報を受信する。識別情報受信部２１０は、受信したユーザ識別情報及び装置識別情報を通信処理部２３０に送出し、受信した接続情報を接続情報設定部２２０に送出する。
【００２９】
接続情報設定部２２０は、識別情報受信部２１０から接続情報を取得すると、この接続情報を用いて通信処理部２３０をサービス提供サーバ３００に接続させる。通信処理部２３０は、ユーザ識別情報及び装置識別情報をサービス提供サーバ３００に送信する。また通信処理部２３０は、サービス提供サーバ３００に認証された後には、サービス提供サーバ３００から送信されてきたサービス提供用画面データを表示部２４０に送出する。
【００３０】
表示部２４０は、サービス提供用画面データを用いてサービス提供用画面を表示する。この画面は、例えばネットスーパーの商品購入画面や、銀行のＡＴＭ（Automated Teller Machine）の画面である。入力部２５０は、ユーザがユーザ端末２００に入力する各種情報を取得し、通信処理部２３０を介してサービス提供サーバ３００に送信する。
【００３１】
なお、図３において、本発明の本質に関わらない部分の構成については省略している。図３に示したユーザ端末２００の各構成要素は、ハードウエア単位の構成ではなく、機能単位のブロックを示している。ユーザ端末２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００３２】
図４は、サービス提供サーバ３００の機能構成を示すブロック図である。サービス提供サーバ３００は、認証情報記憶部３１０、認証処理部３２０、及び画面データ送信部３６０を備える。認証情報記憶部３１０は、ユーザ別に、ユーザ識別情報と装置識別情報とを対応付けて記憶している。認証処理部３２０は、送信されてきたユーザ識別情報と装置識別情報の組み合わせが、認証情報記憶部３１０が記憶しているユーザ識別情報と装置識別情報の組み合わせに一致するか否かを判断することにより、ユーザの認証処理を行う。画面データ送信部３６０は、認証処理部３２０がユーザを認証したときに、サービス提供用画面データをユーザ端末２００に送信する。
【００３３】
サービス提供サーバ３００は、さらにユーザ情報記憶部３４０及び画面データ生成部３５０を備える。ユーザ情報記憶部３４０は、ユーザに関する情報であるユーザ情報をユーザ識別情報に対応付けて記憶する。画面データ生成部３５０は、認証処理部３２０がユーザを認証したときに、ユーザ情報記憶部３４０から、ユーザ識別情報に対応するユーザ情報を読み出し、読み出したユーザ情報を用いてサービス提供用画面データを生成する。例えば画面データ生成部３５０は、予めサービス提供用画面データの元となる画面データを記憶しており、この画面データに、ユーザ識別情報に基づいた情報を加えることにより、サービス提供用画面データを生成する。そして画面データ送信部３６０は、画面データ生成部３５０が生成したサービス提供用画面データをユーザ端末２００に送信する。
【００３４】
ここで、サービス提供用画面データがネットスーパーの商品購入画面を表示させるための画面データである場合、上記したユーザ情報は、ユーザが過去に購入した商品の商品識別情報を含んでいる。そして画面データ生成部３５０は、商品購入画面の商品入力欄に、ユーザ情報に含まれている商品識別情報が予め入力されている状態のサービス提供用画面データを生成する。なお、サービス提供用画面データに含まれる商品識別情報は、ユーザ情報に含まれる商品識別情報のうち、予め定められた品目（例えばミネラルウォーターなどの定期的に購入する必要がある品目）に対応する商品識別情報のみであるのが好ましい。
【００３５】
また、サービス提供用画面データが銀行のＡＴＭの画面をユーザ端末２００に表示させるための画面データである場合、この画面データによってユーザ端末２００の表示部２４０が表示する画面は、銀行のＡＴＭの初期画面そのものである。
【００３６】
なお、図４において、本発明の本質に関わらない部分の構成については省略している。図４に示したサービス提供サーバ３００の各構成要素は、ハードウエア単位の構成ではなく、機能単位のブロックを示している。サービス提供サーバ３００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００３７】
図５は、認証情報記憶部３１０が記憶しているデータをテーブル形式で示す図である。認証情報記憶部３１０は、ユーザ識別情報それぞれごとに、そのユーザ識別情報に対応する装置識別情報を記憶している。
【００３８】
図６は、ユーザ情報記憶部３４０が記憶しているデータの一例をテーブル形式で示す図である。本図に示す例は、サービス提供画面がネットスーパーの商品購入画面を表示させるための画面データである場合に相当する。ユーザ情報記憶部３４０は、ユーザ識別情報別に、そのユーザ識別情報に対応するユーザが過去に購入した商品の商品識別情報を、購入日時に対応付けて記憶している。
【００３９】
図７は、図１に示したサービス提供システムの動作の一例を示すフローチャートである。まずユーザはユーザ端末２００を立ち上げ、ユーザ端末２００に情報読取装置１００を接続する。次いでユーザは、情報読取装置１００のＩＣタグ読取部１１０に、ユーザカード２０のカードＩＣタグ２２を読み取らせる（ステップＳ１０）。これによりＩＣタグ読取部１１０は、カードＩＣタグ２２からユーザ識別情報を読み取って識別情報送信部１４０に送出する。
【００４０】
次いで情報読取装置１００の識別情報送信部１４０は、装置識別情報記憶部１２０から装置識別情報を読み出す（ステップＳ２０）とともに、接続情報記憶部１３０から接続情報を読み出す（ステップＳ３０）。次いで識別情報送信部１４０は、ユーザ識別情報、装置識別情報、及び接続情報をユーザ端末２００に送信する（ステップＳ４０）。
【００４１】
次いでユーザ端末２００の接続情報設定部２２０は、接続情報を用いて、ユーザ端末２００の通信処理部２３０にサービス提供サーバ３００に接続させる。次いで通信処理部２３０は、情報読取装置１００の識別情報送信部１４０が送信してきたユーザ識別情報及び装置識別情報を互いに対応付けてサービス提供サーバ３００に送信する（ステップＳ５０）。
【００４２】
サービス提供サーバ３００の認証処理部３２０は、ユーザ端末２００の通信処理部２３０からユーザ識別情報及び装置識別情報を受信すると、認証情報記憶部３１０から、受信したユーザ識別情報に対応する装置識別情報を読み出す（ステップＳ６０）。そして認証処理部３２０は、読み出した装置識別情報が受信した装置識別情報に一致する場合、すなわち受信したユーザ識別情報と装置識別情報の組み合わせが認証情報記憶部３１０に記憶されている組み合わせと一致する場合、ユーザを認証する（ステップＳ７０：Ｙｅｓ）。
【００４３】
なお画面データ生成部３５０は、ユーザを認証しなかった場合（ステップＳ７０：Ｎｏ）、エラー情報を表示するための画面データを生成する。そしてサービス提供サーバ３００の画面データ送信部３６０は、この画面データをエラー情報としてユーザ端末２００に送信する（ステップＳ８０）。ユーザ端末２００の表示部２４０は、受信した画面データに従って、エラー情報を表示する（ステップＳ９０）。
【００４４】
サービス提供サーバ３００の認証処理部３２０がユーザを認証する（ステップＳ７０：Ｙｅｓ）と、サービス提供サーバ３００の画面データ生成部３５０は、認証処理部３２０が受信したユーザ識別情報に対応するユーザ情報をユーザ情報記憶部３４０から読み出し（ステップＳ１００）、サービス提供用画面データを生成する（ステップＳ１１０）。そしてサービス提供サーバ３００の画面データ送信部３６０は、サービス提供用画面データをユーザ端末２００に送信する（ステップＳ１２０）。ユーザ端末２００の表示部２４０は、送信されてきたサービス提供用画面データに従ってサービス提供画面を表示する（ステップＳ１３０）。
【００４５】
図８は、図７のステップＳ１３０においてユーザ端末２００の表示部２４０が表示するサービス提供画面の一例を示す図である。この図において、サービス提供画面は、ネットスーパーの商品購入画面である。そして、商品入力欄の一部２４２には、予め商品識別情報が入力されている。この商品識別情報は、そのユーザが過去に購入した商品の商品識別情報である。
【００４６】
次に、本実施形態の作用及び効果について説明する。本実施形態によれば、ユーザカード２０のカードＩＣタグ２２には、ユーザ識別情報が記憶されており、情報読取装置１００には、装置識別情報が記憶されている。情報読取装置１００は、カードＩＣタグ２２からユーザ識別情報を読み取ると、読み取ったユーザ識別情報を、装置識別情報に対応付けてサービス提供サーバ３００に送信する。サービス提供サーバ３００は、ユーザ識別情報と装置識別情報の組み合わせに基づいてユーザの認証処理を行う。従って、ユーザがユーザＩＤやパスワードの入力を行わなくてもユーザの認証を行うことができる。
【００４７】
また情報読取装置１００は、サービス提供サーバ３００に接続するための接続情報、例えばＵＲＬを予め記憶している。そして情報読取装置１００は、ユーザからの入力が無くても、情報読取装置１００が記憶しているＵＲＬを用いてサービス提供サーバ３００に接続する。このため、ユーザが情報読取装置１００にカードＩＣタグ２２を読み取らせるのみで、ユーザ端末２００はサービス提供画面を表示することができる。従って、ユーザの負荷が低減する。
【００４８】
またサービス提供サーバ３００の画面データ生成部３５０は、ユーザ情報記憶部３４０が記憶しているユーザ情報、例えば商品購入履歴を用いてサービス提供用画面データを生成する。従って、ユーザのニーズに合わせたサービス提供用画面をユーザ端末２００に表示させることができる。
【００４９】
なお、図１３に示すように、サービス提供サーバ３００がゲートウェイサーバ４００を介してユーザ端末２００に接続している場合、ユーザ端末２００は、サービス提供サーバ３００宛に送信するユーザ識別情報及び装置識別情報をゲートウェイサーバ４００に送信する。ゲートウェイサーバ４００は、ユーザ識別情報及び装置識別情報が送信されてきたときには、このユーザ識別情報及び装置識別情報をサービス提供サーバ３００に送信する。
【００５０】
この場合、ゲートウェイサーバ４００が、認証情報記憶部３１０及び認証処理部３２０を有していても良い。またゲートウェイサーバ４００に複数のサービス提供サーバ３００が接続している場合、ゲートウェイサーバ４００は、サービス提供サーバ３００に接続するための接続情報別に、ユーザ識別情報及び装置識別情報の少なくとも一方を記憶している。これにより、ゲートウェイサーバ４００は、ユーザ識別情報及び装置識別情報が送信されてきたとき、このユーザ識別情報及び装置識別情報を送信すべきサービス提供サーバ３００を認識することができる。
【００５１】
図９は、第２の実施形態に係るサービス提供システムの動作を説明するフローチャートであり、第１の実施形態における図７に相当する図である。本実施形態に用いられるサービス提供システムは、以下の点を除いて、第１の実施形態に係るサービス提供システムと同様の構成である。まず、情報読取装置１００が図２に示した接続情報記憶部１３０を有していない。その代わりに、ユーザカード２０のカードＩＣタグ２２が接続情報を記憶している。
【００５２】
そして、このサービス提供システムの動作は、情報読取装置１００が、カードＩＣタグ２２からユーザ識別情報とともに接続情報を読み取る点（ステップＳ１０）、及び図７に示したステップＳ３０を有していない点を除いて、図７と同様である。
【００５３】
本実施形態によっても、第１の実施形態と同様の効果を得ることができる。
【００５４】
図１０は、第３の実施形態に係るサービス提供システムの動作を説明するフローチャートであり、第２の実施形態における図９に相当する図である。本実施形態は、画面データ生成部３５０が、サービス提供用画面データを予め記憶しており、それをそのまま読み出して（ステップＳ１１２）ユーザ端末２００に送信する（ステップＳ１２０）点を除いて、第２の実施形態と同様である。
【００５５】
本実施形態は、例えば図１１に示すように、ＡＴＭの画面データをユーザ端末２００の表示部２４０に表示させる場合などに好適である。また本実施形態において、サービス提供サーバ３００はユーザ情報記憶部３４０を有していなくても良い。
【００５６】
本実施形態によっても、ユーザがユーザＩＤやパスワードの入力を行わなくてもユーザの認証を行うことができる。また、ユーザが情報読取装置１００にカードＩＣタグ２２を読み取らせるのみで、ユーザ端末２００はサービス提供用画面を表示することができる。
【００５７】
図１２は、第４の実施形態に係るサービス提供システムの動作を説明するフローチャートであり、第２の実施形態における図９に相当する図である。このサービス提供システムは、以下の点を除いて、第２の実施形態に係るサービス提供システムと同様の構成である。まず、情報読取装置１００は、図２に示した装置識別情報記憶部１２０を有していない。そしてサービス提供サーバ３００は、ユーザ識別情報及びパスワードに基づいてユーザを認証する。以下、詳細に説明する。
【００５８】
ユーザは、情報読取装置１００のＩＣタグ読取部１１０に、ユーザカード２０のカードＩＣタグ２２を読み取らせる（ステップＳ１０）。これによりＩＣタグ読取部１１０は、カードＩＣタグ２２からユーザ識別情報及び接続情報を読み取って識別情報送信部１４０に送出する。識別情報送信部１４０は、ユーザ識別情報及び接続情報をユーザ端末２００に送信する（ステップＳ４０）。
【００５９】
次いでユーザ端末２００の接続情報設定部２２０は、接続情報を用いて、ユーザ端末２００の通信処理部２３０にサービス提供サーバ３００に接続させる（ステップＳ５２）。サービス提供サーバ３００の画面データ生成部３５０は、予め記憶している入力画面データを読み出し（ステップＳ６２）、ユーザ端末２００に送信する（ステップＳ６４）。
【００６０】
ユーザ端末２００の表示部２４０は、受信した入力画面データに従って入力画面を表示する（ステップＳ６６）。入力画面には、パスワードの入力欄が含まれている。ユーザは、ユーザ端末２００の入力部２５０を介してパスワードを入力する。ユーザ端末２００の通信処理部２３０は、入力されたパスワードと、ステップＳ４０で取得したユーザ識別情報を互いに対応付けてサービス提供サーバ３００に送信する（ステップＳ６８）。
【００６１】
サービス提供サーバ３００の認証情報記憶部３１０は、予め、ユーザ識別情報とパスワードを互いに対応付けて記憶している。そしてサービス提供サーバ３００の認証処理部３２０は、ユーザ識別情報とパスワードの組み合わせに基づいて、認証処理を行う（ステップＳ７０）。これ以降の処理は、第２の実施形態と同様である。
【００６２】
本実施形態によれば、ユーザが情報読取装置１００にカードＩＣタグ２２を読み取らせるのみで、ユーザ端末２００をサービス提供サーバ３００に接続することができる。なお本実施形態において、まず、第１の実施形態及び第２の実施形態と同様に、ユーザ識別情報と装置識別情報の組み合わせに基づいた認証（第１の認証）を行い、その後、パスワードを用いて第２の認証を行っても良い。また、第１の認証と第２の認証を同時に行っても良い。
【００６３】
また、ユーザカード２０のカードＩＣタグ２２が接続情報のみを記憶していても良い。この場合、ユーザ端末２００は、カードＩＣタグ２２から読み取った接続情報を用いてサービス提供サーバ３００に接続する。このとき、認証用のデータは送信されない。そしてサービス提供サーバ３００は、ユーザ端末２００に認証データ入力用画面を送信する。ユーザ端末２００は、認証データ用入力画面に入力された認証用のデータをサービス提供サーバ３００に送信する。送信される情報には、ユーザ識別情報及びパスワードが含まれる。
【００６４】
以上、図面を参照して本発明の実施形態について述べたが、これらは本発明の例示であり、上記以外の様々な構成を採用することもできる。
【符号の説明】
【００６５】
２０ ユーザカード
２２ カードＩＣタグ
５０ 通信網
１００ 情報読取装置
１１０ ＩＣタグ読取部
１２０ 装置識別情報記憶部
１３０ 接続情報記憶部
１４０ 識別情報送信部
２００ ユーザ端末
２１０ 識別情報受信部
２２０ 接続情報設定部
２３０ 通信処理部
２４０ 表示部
２４２ 商品入力欄の一部
２５０ 入力部
３００ サービス提供サーバ
３１０ 認証情報記憶部
３２０ 認証処理部
３４０ ユーザ情報記憶部
３５０ 画面データ生成部
３６０ 画面データ送信部
４００ ゲートウェイサーバ
【図１】
2010198333.tif 000003
【図２】
2010198333.tif 000004
【図３】
2010198333.tif 000005
【図４】
2010198333.tif 000006
【図５】
2010198333.tif 000007
【図６】
2010198333.tif 000008
【図７】
2010198333.tif 000009
【図８】
2010198333.tif 000010
【図９】
2010198333.tif 000011
【図１０】
2010198333.tif 000012
【図１１】
2010198333.tif 000013
【図１２】
2010198333.tif 000014
【図１３】
2010198333.tif 000015